(57)【特許請求の範囲】
【請求項１】
前端に押出口を有する筒状のカートリッジ本体と、このカートリッジ本体の内周面に密接して軸方向に摺動可能に内挿された押し子とを備えるカートリッジと、このカートリッジを内嵌しうる前後端が開口したボディと、このボディの後端開口から内部に挿入される押し部材とよりなり、前記押し部材を、ボディに保持させるとともに、前記カートリッジの後端外周面に雄ねじを設け、この雄ねじと螺合する雌ねじをボディの内周面に設けて、カートリッジを、ボディの前端開口から前記両ねじを螺合させて、ボディに内嵌し、ボディをカートリッジに対して相対的に回転させて前進させることにより、前記押し部材の前端部で押し子を前方に向けて摺動させてカートリッジ内の充填物を押出口から押出しうるようにし、かつ前記充填物が押出された後の状態においては、前記両ねじの螺合状態が開放されるようにし、ボディに保持させた前記押し部材の保持を解除させた後に、前記押し部材とカートリッジの両者を同時にまたは順次にボディの後端開口から引抜き可能としたことを特徴とするカートリッジ式押出装置。
【請求項２】
押し部材を、押し棒と、この押し棒の後端に一体に設けた摘み部とより構成し、前記押し棒をボディの後端開口から内部に挿入するとともに、前記摘み部をボディの後端に螺合手段または凹凸係合手段によって螺合または係合することにより、前記押し部材をボディに保持させた請求項１記載のカートリッジ式押出装置。
【請求項３】
ボディの内周面に雌ねじを設けるとともに、その後端内周面には、雌ねじを設けない非螺合部を形成し、カートリッジをボディの前端開口から内嵌し、カートリッジの後端外周面に設けた雄ねじをボディの雌ねじに螺合させ、ボディをカートリッジに対して相対的に回転させて前進させ、カートリッジの前記雄ねじを設けた部分が、ボディの前記非螺合部に位置したときに、前記雄ねじと雌ねじとの螺合状態が開放されて、カートリッジをボディの後端開口から引抜き可能とした請求項１または２記載のカートリッジ式押出装置。
【請求項４】
押し部材における摘み部を、カートリッジの後端が遊嵌しうるキャップ状のものとし、カートリッジをボディの前端開口から内嵌し、カートリッジの後端外周面に設けた雄ねじをボディの雌ねじに螺合させ、ボディをカートリッジに対して相対的に回転させて前進させ、カートリッジの前記雄ねじを設けた部分が、前記キャップ状の摘み部に位置して遊嵌状態となることにより、前記雄ねじと雌ねじとの螺合状態が開放されて、カートリッジをボディの後端開口から引抜き可能とした請求項２記載のカートリッジ式押出装置。
【請求項５】
カートリッジの雄ねじを設けた部分と、ボディの雌ねじとの螺合状態が開放されたときに、カートリッジの後端を押し部材に保持可能にした請求項１〜４のいずれかに記載のカートリッジ式押出装置。
【請求項６】
カートリッジの雄ねじを設けた部分と、ボディの雌ねじとの螺合状態が開放されたときに、カートリッジの後端開口を、押し棒の後端部に形成したテーパ面部に圧入させることにより保持しうるようにした請求項２に従属する請求項５記載のカートリッジ式押出装置。
【請求項７】
カートリッジの雄ねじを設けた部分と、ボディの雌ねじとの螺合状態が開放されたときに、カートリッジの後端開口の内周面に形成した雌ねじを、押し棒の後端部外周面に形成した雄ねじに螺合させるか、またはカートリッジの前記雄ねじを、キャップ状の摘み部の内周面に形成した雌ねじに螺合させることにより保持しうるようにした請求項４に従属する請求項５記載のカートリッジ式押出装置。
【請求項８】
ボディの前端開口に、遮光用キャップを着脱可能に設けるとともに、この遮光用キャップをもって、ボディから露出するカートリッジの外周を被包可能にした請求項１〜７のいずれかに記載のカートリッジ式押出装置。
【発明の詳細な説明】
【技術分野】
【０００１】
本発明は、例えば歯冠修復治療に用いられる歯冠修復材料等の充填物が収容されたカートリッジ内の前記充填物を押出すためのカートリッジ式押出装置に関する。
【背景技術】
【０００２】
一般に、歯冠修復治療の分野においては、天然歯に対する審美的な修復効果を得るために、レジン系材料からなる硬化性に優れた光硬化性組成物が歯冠修復材料として広く使用されている。
【０００３】
このような歯冠修復材料は、多種多様な性状や色調のレジンペーストを円筒状のカートリッジ本体内に収容するとともに、カートリッジ本体の後端開口を押し子によって閉塞し、かつその前端の押出口を保護キャップによって被冠したカートリッジに保管されている。
治療時には、天然歯に対する性状や色調に応じたレジンペーストが収容されたカートリッジを選択して、それを押出装置に装着することにより、レジンペーストを、必要に応じてカートリッジ本体内から少量ずつ押出して使用されている。
また、カートリッジ本体内のレジンペーストを使い切ると、カートリッジを押出装置から取外して、新しいカートリッジに交換している。
【０００４】
従来の押出装置としては、例えば前端開口部にカートリッジ本体の後端螺合部が螺合状態で装着される筒状の継手部材と、この継手部材の後端開口部から貫通状態で前後進可能に螺合される、外周面に螺子切りが施された押し棒とより構成されるとともに、この押し棒を、継手部材を介して、カートリッジ本体内に挿入して、カートリッジ本体に対して相対的に回転させて前進させ、かつその前端部でもって押し子を前方に向けて摺動させることにより、カートリッジ本体内に収容されたレジンペースト等の充填物を、カートリッジ本体前端に設けた押出口から押出すようにしたものがある（特許文献１参照）。
【０００５】
しかし、特許文献１に記載の押出装置では、レジンペーストをカートリッジ本体内から押出す際の押し棒の回転によって、継手部材が相対的に後方に移動し、レジンペーストを使い切ったときには、継手部材が押し棒の後端基部近くまで達するようになっているため、レジンペーストを使い切ったカートリッジを取外すためには、継手部材を押し棒に対して元の使い始めの位置まで戻す必要があり、特に、押し棒の１回転によるレジンペーストの押出し量が微量となるように、継手部材と押し棒との互いの螺子山のピッチを細かくした場合には、継手部材の戻しに要する時間が一層長くなり、これにより、新しいカートリッジとの交換作業に手間が掛かり、面倒であるという問題がある。
【０００６】
また、前記した不具合を解消するために、押出装置として、継手部材に、押し棒との螺合部分を縮径させることにより、螺合状態を保持するロック機構を設けるとともに、このロック機構を、レジンペーストを使い切ったときに、継手部材を拡径状態に復径して半螺合状態に解除することにより、継手部材に対して、レジンペーストを使い切った位置から押し棒を、回転させることなく、半螺合状態のまま強制的に引き抜くことができるように構成したものがある（特許文献２参照）。
【０００７】
しかし、特許文献２に記載の押出装置では、継手部材から押し棒を引き抜く際、それらの半螺合状態にある螺子山同士が擦れ合うため、数回の繰返し使用によって、互いの螺子山部分が磨耗して、継手部材と押し棒との間にがたつきが生じ、これにより、押し子に対する押し棒の押込み力が不均一になり易く、レジンペーストの押出し量が不安定になる。
しかも、使用前のカートリッジ本体における前端の押出口に予め被冠されていた比較的小さな保護キャップも、使用毎の取外しによって紛失もしくは破損したりすることが多く、そのため、使用途中のカートリッジを保管する際に、充填物として歯冠修復材料のような光硬化性を有するレジンペーストを使用したものでは、遮光状態で保管しないと、レジンペーストが光を受けてカートリッジ本体の押出口内で硬化してしまい、次回のレジンペーストの押出しが困難になるため、新たなキャップを用意しておく必要があるという問題がある。
【先行技術文献】
【特許文献】
【０００８】
【特許文献１】実公昭５５−１０３１１号公報
【特許文献２】特開２０００−２１９２８２号公報
【発明の概要】
【発明が解決しようとする課題】
【０００９】
本発明は、前記の現状に鑑み、レジンペースト等の充填物を押出して使い切ったカートリッジを新しいカートリッジと交換する際に、使い切ったカートリッジの取外しを容易にして、新しいカートリッジとの交換作業を簡便にすることができるとともに、カートリッジの繰返し交換によっても、カートリッジからのレジンペースト等の充填物の押出し量が不安定となることのないカートリッジ式押出装置を提供することを課題とする。
【００１０】
また好ましくは、カートリッジ本体の前端の押出口に被冠されていた保護キャップを紛失もしくは破損した場合にも、使用途中のカートリッジを装着したまま遮光状態で保管することができるようにしたカートリッジ式押出装置を提供することも併せて課題とする。
【課題を解決するための手段】
【００１１】
上記課題は、「特許請求の範囲」の欄における各請求項に記載するように、次のような構成からなる発明によって解決される。
（１）  前端に押出口を有する筒状のカートリッジ本体と、このカートリッジ本体の内周面に密接して軸方向に摺動可能に内挿された押し子とを備えるカートリッジと、このカートリッジを内嵌しうる前後端が開口したボディと、このボディの後端開口から内部に挿入される押し部材とよりなり、前記押し部材を、ボディに保持させるとともに、前記カートリッジの後端外周面に雄ねじを設け、この雄ねじと螺合する雌ねじをボディの内周面に設けて、カートリッジを、ボディの前端開口から前記両ねじを螺合させて、ボディに内嵌し、ボディをカートリッジに対して相対的に回転させて前進させることにより、前記押し部材の前端部で押し子を前方に向けて摺動させてカートリッジ内の充填物を押出口から押出しうるようにし、かつ前記充填物が押出された後の状態においては、前記両ねじの螺合状態が開放されるようにし、ボディに保持させた前記押し部材の保持を解除させた後に、前記押し部材とカートリッジの両者を同時にまたは順次にボディの後端開口から引抜き可能としたことを特徴とするカートリッジ式押出装置とする。
【００１２】
（２）  上記（１）項において、押し部材を、押し棒と、この押し棒の後端に一体に設けた摘み部とより構成し、前記押し棒をボディの後端開口から内部に挿入するとともに、前記摘み部をボディの後端に螺合手段または凹凸係合手段によって螺合または係合することにより、前記押し部材をボディに保持させる。
【００１３】
（３）  上記（１）項または（２）項において、ボディの内周面に雌ねじを設けるとともに、その後端内周面には、雌ねじを設けない非螺合部を形成し、カートリッジをボディの前端開口から内嵌し、カートリッジの後端外周面に設けた雄ねじをボディの雌ねじに螺合させ、ボディをカートリッジに対して相対的に回転させて前進させ、カートリッジの前記雄ねじを設けた部分が、ボディの前記非螺合部に位置したときに、前記雄ねじと雌ねじとの螺合状態が開放されて、カートリッジをボディの後端開口から引抜き可能とする。
【００１４】
（４）  上記（２）項において、押し部材における摘み部を、カートリッジの後端が遊嵌しうるキャップ状のものとし、カートリッジをボディの前端開口から内嵌し、カートリッジの後端外周面に設けた雄ねじをボディの雌ねじに螺合させ、ボディをカートリッジに対して相対的に回転させて前進させ、カートリッジの前記雄ねじを設けた部分が、前記キャップ状の摘み部に位置して遊嵌状態となることにより、前記雄ねじと雌ねじとの螺合状態が開放されて、カートリッジをボディの後端開口から引抜き可能とする。
【００１５】
（５）  上記（１）〜（４）項のいずれかにおいて、カートリッジの雄ねじを設けた部分と、ボディの雌ねじとの螺合状態が開放されたときに、カートリッジの後端を押し部材に保持可能にする。
【００１６】
（６）  上記（２）項を引用する（５）項において、カートリッジの雄ねじを設けた部分と、ボディの雌ねじとの螺合状態が開放されたときに、カートリッジの後端開口を、押し棒の後端部に形成したテーパ面部に圧入させることにより保持しうるようにする。
【００１７】
（７）  上記（４）項を引用する（５）項において、カートリッジの雄ねじを設けた部分と、ボディの雌ねじとの螺合状態が開放されたときに、カートリッジの後端開口の内周面に形成した雌ねじを、押し棒の後端部外周面に形成した雄ねじに螺合させるか、またはカートリッジの前記雄ねじを、キャップ状の摘み部の内周面に形成した雌ねじに螺合させることにより保持しうるようにする。
【００１８】
（８）  上記（１）〜（７）項のいずれかにおいて、ボディの前端開口に、遮光用キャップを着脱可能に設けるとともに、この遮光用キャップをもって、ボディから露出するカートリッジの外周を被包可能にする。
【発明の効果】
【００１９】
本発明によると、次のような効果が奏せられる。
請求項１記載の発明によれば、カートリッジ内の充填物が押出された使切り状態において、カートリッジとボディとの螺合状態が開放されて、カートリッジを、ボディの後端開口から引抜き可能としてあるため、使い切ったカートリッジの取外しが容易となり、新しいカートリッジの交換作業を簡便にすることができる。
また、特許文献２における発明のように、カートリッジの交換時において、押し部材を引抜く際に、半螺合状態にある螺子山同士が擦れ合うような現象も生じることもなく、カートリッジ本体内の押し子に対する押し部材の押込み力を常に均等に作用させることができ、特許文献２に記載の発明のような螺子山部分の磨耗を原因とするレジンペーストの押出し量が不安定になることもない。
【００２０】
請求項２に記載の発明によれば、押し部材を、押し棒と、この押し棒の後端に一体に設けた摘み部とより構成し、押し棒をボディの後端開口から内部に挿入するとともに、摘み部をボディの後端に螺合手段または凹凸係合手段によって螺合または係合することにより、押し部材をボディに保持させるようにしてあるため、ボディの後端開口からの押し棒の挿入後に、押し部材をボディの後端に容易に保持させることができる。
【００２１】
請求項３に記載の発明によれば、ボディの内周面に雌ねじを設けるとともに、その後端内周面には、雌ねじを設けない非螺合部を設け、カートリッジをボディの前端開口から内嵌し、カートリッジの後端外周面に設けた雄ねじをボディの雌ねじに螺合させ、ボディをカートリッジに対して相対的に回転させて前進させ、カートリッジの雄ねじを設けた部分が、ボディの非螺合部に位置したとき、すなわち充填物使切り状態おいて、雄ねじと雌ねじとの螺合状態が開放されるようにしてあるため、カートリッジをボディの後端開口から容易に引抜くことができる。
【００２２】
請求項４に記載の発明によれば、押し部材における摘み部を、カートリッジの後端が遊嵌しうるキャップ状のものとし、カートリッジをボディの前端開口から内嵌し、カートリッジの後端外周面に設けた雄ねじをボディの雌ねじに螺合させ、ボディをカートリッジに対して相対的に回転させて前進させ、カートリッジの前記雄ねじを設けた部分が、前記キャップ状の摘み部に位置して遊嵌状態となることにより、前記雄ねじと雌ねじとの螺合状態が開放されるようにしてあるため、カートリッジをボディの後端開口から容易に引抜くことができる。
【００２３】
請求項５に記載の発明によれば、カートリッジの雄ねじを設けた部分と、ボディの雌ねじとの螺合状態が開放されたときに、カートリッジの後端が、押し部材に保持しうるようにしてあるため、摘み部による押し棒のボディ内からの引抜きと同時に、カートリッジを簡単にかつ容易に引抜くことができる。
【００２４】
請求項６に記載の発明によれば、カートリッジの雄ねじを設けた部分と、ボディの雌ねじとの螺合状態が開放されたときに、カートリッジの後端開口を、押し棒の後端部に形成したテーパ面部に圧入させることにより保持しうるようにしてあるため、前記請求項５と同様の効果を得ることができる。
【００２５】
請求項７に記載の発明によれば、カートリッジの雄ねじを設けた部分と、ボディの雌ねじとの螺合状態が開放されたときに、カートリッジの後端開口の内周面に形成した雌ねじを、押し棒の後端部外周面に形成した雄ねじに螺合させるか、またはカートリッジの前記雄ねじを、キャップ状の摘み部の内周面に形成した雌ねじに螺合させることにより保持しうるようにしてあるため、前記請求項５と同様の効果を得ることができる。
【００２６】
請求項８に記載の発明によれば、ボディの前端開口に、遮光用キャップを着脱可能に設けるとともに、この遮光用キャップでもって、ボディから露出するカートリッジの外周を被包可能にしてあるため、使用前に、予めカートリッジ本体の前端の押出口に被冠または被着されていた保護キャップまたはアルミ箔等の被覆材を紛失もしくは破損した場合にも、使用途中のカートリッジをボディに装着したまま、遮光状態で保管することができる。
特に、充填物が光硬化性材料の場合には、カートリッジの前端の押出口を、遮光状態に維持することができ、カートリッジ本体の押出口における充填物の硬化を防止することができるため、次回の充填物の押出しを円滑に行うことができる。
発明の具体的な内容は、次の通りである。
【図面の簡単な説明】
【００２７】
【図１】本発明の第一実施形態を示すカートリッジ式押出装置の縦断面図であり、ボディから遮光用キャップを取外して、押し部材をボディに保持させるとともに、カートリッジをボディに装着した状態を示す。（実施例１）
【図２】図１に示すカートリッジ式押出装置の分解斜視図である。
【図３】カートリッジの縦断面図である。
【図４】ボディに押し部材を保持させるとともに、遮光用キャップを取付けた状態を示す斜視図である。
【図５】図４に示す状態を一部拡大して示す縦断面図である。
【図６】カートリッジ内からの充填物の押出し状態を示す縦断面図である。
【図７】カートリッジ内からの充填物押出し後の使切り状態を示す縦断面図である。
【図８】カートリッジ内からの充填物押出し後の使切り状態において、カートリッジと押し部材を一体として、ボディから取外した状態を示す分解縦断面図である。
【図９】本発明に係る第二実施形態を示すカートリッジ式押出装置において、カートリッジ内からの充填物の押出し状態を示す縦断面図である。（実施例２）
【図１０】図９に示すカートリッジ式押出装置において、カートリッジ内からの充填物押出し後の使切り状態を示す縦断面図である。
【発明を実施するための形態】
【実施例１】
【００２８】
以下、本発明の実施形態を、図面を参照しながら詳細に説明する。
図１は、本発明の第一実施形態を示すカートリッジ式押出装置の縦断面図であり、ボディから遮光用キャップを取外して、押し部材をボディに保持させるとともに、カートリッジをボディに装着した状態を示し、図２は、図１に示すカートリッジ式押出装置の分解斜視図、図３は、カートリッジの縦断面図、図４は、ボディに押し部材を保持させるとともに、遮光用キャップを取付けた状態を示す斜視図、図５は、図４に示す状態を一部拡大して示す縦断面図である。
【００２９】
図１及び図２に示すように、本発明のカートリッジ式押出装置（以下、「押出装置」とも略記する）1は、カートリッジ２と、このカートリッジ２を内嵌しうる前後端が開口したボディ３と、このボディ３の内部に挿入される押し部材４とより構成される。
【００３０】
カートリッジ２は、図２、図３に示すように、前端が段付き状に縮径されて押出口５ａが設けられた筒状のカートリッジ本体５と、このカートリッジ本体５の内周面に密接して軸方向に摺動可能に内挿された押し子６とを備えている。
押し子６は、カートリッジ本体５の内周壁面との摩擦抵抗の小さなポリエチレンなどの比較的軟質の合成樹脂やポリアミドなどの合成樹脂により形成されているとともに、側面視断面Ｈ形状からなる肉厚の円板状をなし、その後面中央部には、凹部７が設けられている。
ボディ３の軸方向の長さは、カートリッジ本体５の長さとほぼ等しい長さ、換言すれば、ボディ３内に、カートリッジ本体５がほぼ収容可能な長さを有している。
【００３１】
カートリッジ本体５の前端には、カートリッジ本体５内に収容されるレジンペースト等の充填物Ｗの乾燥や光重合による硬化等を防止するための保護キャップ８が着脱可能に被冠されている。
充填物Ｗは、カートリッジ本体５の後端開口５ｂから内部に収容され、その後、押し子６が内挿される。
カートリッジ本体５の後端は、拡径され、その後端外周面５ｃには、雄ねじ９が設けられている。
【００３２】
ボディ３は、図２に示すように、例えばテーブル等に載置した場合の転がりを防止するために、外周面の一部が拡径されて断面六角形状の転動防止部３ａが形成された円筒状であり、その前後端は、それぞれ段付き状に縮径されて、前端縮径部３ｂと後端縮径部３ｃとが形成されている。
【００３３】
前端縮径部３ｂの外周面には、図４、図５に示すように、有底円筒状の遮光用キャップ１０が外嵌状態で被冠されている。
遮光用キャップ１０の後端開口１０ａ側の内周面は、段付き状に拡径されて、遮光用キャップ１０の外周面とボディ３の外周面とが同一面となるように形成されている。
【００３４】
ボディ３の後端縮径部３ｃの外周面には、雄ねじ１１が設けられている。
ボディ３の内周面３ｄには、カートリッジ本体５の後端外周面５ｃに設けた雄ねじ９と螺合する雌ねじ１２が設けられている。
ボディ３の内周面３ｄのうち、その後端内周面３ｅには、前記雌ねじ１２を設けない非螺合部１３が形成されている。
なお、この非螺合部１３には、前記雄ねじ９と螺合しない雌ねじは設けられていてもよい。
【００３５】
押し部材４は、図２に示すように、押し棒１４と、この押し棒１４の後端に一体に設けた摘み部１５とより構成されている。
押し棒１４は、円柱状をなし、その前端には、段付き状に縮径されて、カートリッジ２における押し子６の凹部７に嵌入される突起部１４ａが突設されている。
この突起部１４ａは、前方に向けて漸次縮径され、円錐台状をなしている。
押し棒１４の後端部は、段付き状に拡径されて、後方に向けて漸次拡径されたテーパ面部１４ｂに形成されている。
【００３６】
なお、本実施形態では、テーパ面部１４ｂの外径は、カートリッジ本体５における後端開口５ｂの内径よりも小さな段階から漸次大きくなるような緩やかな勾配で段付き状態に拡径したが、この拡径状態を急勾配とする場合には、前記テーパ面部１４ｂを、押し棒１４の外周面に対して段付き状に形成しなくてもよい。
【００３７】
摘み部１５は、カートリッジ本体５の後端外周面５ｃが遊嵌しうるキャップ状をなし、その内周面１５ａには、ボディ３の後端縮径部３ｃの外周面に設けられた雄ねじ１１と螺合する雌ねじ１６が設けられている。
【００３８】
なお、前記したカートリッジ２、ボディ３、押し部材４及び遮光用キャップ１０は、例えば、合成樹脂やアルミニウム等の薄肉な軽合金素材から形成されている。
【００３９】
ボディ３の前端縮径部３ｂの基部外周面には、図５に示すように、環状凹溝１７が設けられている。
遮光用キャップ１０の段付き状に拡径された後端開口１０ａ側の内周面には、環状突条１８が設けられている。
ボディ３の前端縮径部３ｂに遮光用キャップ１０を被冠する場合には、前記環状突条１８を環状凹溝１７に弾性的に係合させることにより、遮光用キャップ２がボディ３の前端部に着脱可能に安定よく係止されるようになっている。
【００４０】
本発明のカートリッジ式押出装置１は、図１、図２に示すように、ボディ３から遮光用キャップ１０を取外して、ボディ３の前後端開口に、カートリッジ２と押し部材４を装着する場合、ボディ３へのカートリッジ２と押し部材４の装着は、いずれを先に行ってもよい。
【００４１】
ボディ３に押し部材４を保持させて装着するには、押し部材４の押し棒１４を、ボディ３の後端開口から内部に軸線上に沿って前端開口に向けて遊嵌状態で挿入するとともに、摘み部１５の内周面１５ａに設けた雌ねじ１６を、ボディ３の後端縮径部３ｃの外周面に設けた雄ねじ１１と螺合させることにより、押し部材４をボディ３の後端部に保持させる。
また、ボディ３にカートリッジ２を装着するには、ボディ３の前端開口から、カートリッジ本体５の後端外周面５ｃに設けた雄ねじ９を、ボディ３の内周面３ｄに設けた雌ねじ１２に螺合させて、カートリッジ２をボディ３に内嵌させる。
このとき、カートリッジ本体５に内挿されている押し子６の凹部７に、押し棒１４の突起部１４ａが嵌入される。
【００４２】
なお、ボディ３に押し部材４を装着する場合、本実施形態では螺合手段をもって保持させるようにしたが、他の手段としては、例えばボディ３の後端縮径部３ｃの外周面と摘み部１５の内周面１５ａとの嵌合面に凹凸部を形成して、互いに凹凸係合可能にし、この凹凸係合手段により、押し部材４をボディ３に保持させるようにしてもよい。
【００４３】
次に、本発明のカートリッジ式押出装置１による充填物Ｗの押出し状態を説明する。
図６は、カートリッジ２内からの充填物Ｗの押出し状態を示す縦断面図、図７は、カートリッジ２内からの充填物押出し後の使切り状態を示す縦断面図、図８は、カートリッジ２内からの充填物押出し後の使切り状態において、カートリッジ２と押し部材４を一体として、ボディ３から取外した状態を示す分解縦断面図である。
【００４４】
図６に示すように、ボディ３をカートリッジ本体５に対して相対的に回転させて前進させることにより、カートリッジ本体５内の押し子６が、ボディ３と共に前進する押し部材４における押し棒１４の前端部１４ａで押されて前方に向けて摺動し、カートリッジ本体５内の充填物Ｗが、押出口５ａから押出される。
【００４５】
ボディ３を、カートリッジ本体５に対して相対的に更に回転させて前進させることにより、図７に示すように、カートリッジ本体５の後端外周面５ｃに設けた雄ねじ９の部分が、ボディ３の雌ねじ１２が設けられていない後端内周面３ｅの非螺合部１３に位置すると、前記雄ねじ９とボディ３内周面に設けた雌ねじ１２との螺合状態が開放される。
すなわち、カートリッジ本体５内の充填物Ｗが押出されて、実質的に使切り状態となったときには、前記両ねじ９，１２の螺合状態が開放されると同時に、カートリッジ本体５の後端開口５ｂが押し棒１４の後端部に形成したテーパ面部１４ｂに圧入されて、押し棒１４の後端部にカートリッジ本体５の後端部が圧入状態をもって保持されるようになっている。
【００４６】
次いで、押し部材４の摘み部１５を摘み持って、ボディ３の後端縮径部３ｃに設けられた雄ねじ１１と、摘み部１５の内周面１５ａに設けられた雌ねじ１６との螺合が開放される向きに、押し部材４をボディ３に対して相対的に回転させることにより、押し部材４をボディ３から取外せば、カートリッジ本体５の後端部が押し棒１４の後端部に圧入状態をもって保持されているため、図８に示すように、カートリッジ本体５を、押し部材４と共にボディ３の後端開口から容易に引抜くことができる。
【００４７】
この場合、カートリッジ本体５と押し棒１４とが圧入状態をもって保持されていなくても、ボディ３とカートリッジ本体５との螺合状態が開放されているため、押し部材４の引抜きに次いで、カートリッジ本体５を、ボディ３の後端開口から容易に引抜くことができる。
【００４８】
なお、カートリッジ本体５内の充填物Ｗを一度に使い切ることなく、押出し作業を途中で中止して、ボディ３にカートリッジ本体５を装着したままの状態で保管する場合には、カートリッジ本体５の押出口５ａに、保護キャップ８を元の状態に被冠すればよいが、この保護キャップ８を紛失または破損した場合にも、図６に示すように、ボディ３の前端縮径部３ｂに、仮想線で示す遮光用キャップ１０を被冠して、ボディ３から露出するカートリッジ本体５の外周を被包することにより、遮光状態で保管することができる。
これにより、カートリッジ本体５の押出口５ａにおける充填物Ｗの硬化を防止し、次回の充填物Ｗの押出しを円滑に行うことができる。
【実施例２】
【００４９】
図９は、本発明の第二実施形態を示し、カートリッジ２内からの充填物Ｗの押出し状態を示す縦断面図、図１０は、カートリッジ２内からの充填物押出し後の使切り状態を示す縦断面図である。
なお、図示の実施形態においては、前記第一実施形態と構成が重複する部分は同一符号を用い、詳細な説明は省略する。
【００５０】
本実施形態は、図９に示すように、ボディ３の内周面３ｄに設けられる雌ねじ１２を、ボディ３の全長に亘って形成するとともに、ボディ３の後端縮径部３ｃに装着される押し部材４の摘み部１５は、カートリッジ本体５の後端が遊嵌しうるキャップ状のものとしてある。
すなわち、摘み部１５の内周面１５ａは、カートリッジ本体５の後端外周面５ｃに設けた雄ねじ９が螺合することなく遊嵌しうるような遊嵌部１９となっている。
【００５１】
前記第一実施形態と同様に、カートリッジ本体５をボディ３の前端縮径部３ｂの開口から内嵌し、カートリッジ本体５の後端外周面５ｃに設けた雄ねじ９をボディ３の雌ねじ１２に螺合させ、ボディ３をカートリッジ本体５に対して相対的に回転させて前進させることにより、図１０に示すように、カートリッジ本体５内の充填物Ｗが実質的に使切り状態となったときには、カートリッジ本体５の後端外周面５ｃに設けた雄ねじ９の部分が、摘み部１５の遊嵌部１９に位置して遊嵌状態になると、前記雄ねじ９とボディ３の内周面３ｄに設けた雌ねじ１２との螺合状態が開放されるようになっている。
【００５２】
なお、この第二実施形態においては、カートリッジ本体５の後端開口５ｂ側の内周面に雌ねじ２０を形成するとともに、この雌ねじ２０と螺合する雄ねじ２１を、押し部材４における押し棒１４の後端基部外周面に形成してある。
カートリッジ本体５の後端外周面５ｃに設けた雄ねじ９の部分が、摘み部１５の遊嵌部１９に位置したときに、カートリッジ本体５に設けた雌ねじ２０を、押し棒１４の後端基部外周面に設けた雄ねじ２１に螺合させることにより、押し棒１４のボディ３内からの引抜きと同時に、カートリッジ本体５を簡単にかつ容易に引抜くことができる。
【００５３】
また、充填物Ｗの使切り状態におけるカートリッジ本体５の後端外周面５ｃに設けた雄ねじ９を設けた部分と、ボディ３の雌ねじ１２との螺合状態が開放されたときに、カートリッジ２を押し部材４に保持させる場合の他の実施形態としては、カートリッジ本体５の前記雄ねじ９を、押し部材４におけるキャップ状の摘み部１５の内周面に形成した雌ねじ（図示せず）に螺合させるように構成してもよい。
【符号の説明】
【００５４】
１    カートリッジ式押出装置（押出装置）
２    カートリッジ
３    ボディ
３ａ  転動防止部
３ｂ  前端縮径部（前端開口）
３ｃ  後端縮径部（後端開口）
３ｄ  内周面
３ｅ  後端内周面
４    押し部材
５    カートリッジ本体
５ａ  押出口
５ｂ  後端開口
５ｃ  後端外周面
６    押し子
７    凹部
８    保護キャップ
９    雄ねじ
１０  遮光用キャップ
１０ａ  後端開口
１１  雄ねじ
１２  雌ねじ
１３  非螺合部
１４  押し棒
１４ａ  突起部
１４ｂ  テーパ面部
１５  摘み部
１５ａ  内周面
１６  雌ねじ
１７  環状凹溝
１８  環状突条
１９  遊嵌部
２０  雌ねじ
２１  雄ねじ
Ｗ    充填物
【図１】
0005530152.tif 000002
【図２】
0005530152.tif 000003
【図３】
0005530152.tif 000004
【図４】
0005530152.tif 000005
【図５】
0005530152.tif 000006
【図６】
0005530152.tif 000007
【図７】
0005530152.tif 000008
【図８】
0005530152.tif 000009
【図９】
0005530152.tif 000010
【図１０】
0005530152.tif 000011